(57)【要約】      （修正有）【課題】木造建築工事の場合に角梁に角梁を取付る際の締結工法に胴付を強力に締付けて耐震・耐風性に対抗する取付仕口工法を提供する。【解決手段】角梁締結工法に使用する補強金物は曲線型羽子板ボルト又は平板曲加工金物にて強力に構造仕口締結力を発揮出来る上に両種補強金物に使用する全てのボルト杆には座金又は平板金物とナットの間にスプリング座金を挟み胴付締付強化に対応する補強金物構造である。【選択図】図1
0003134360.tif 000002
【実用新案登録請求の範囲】
【請求項１】
木造建築構造工事の工程の中に於いて角梁(平物梁)に角梁を結合する場合に蟻ホソにて取付仕口を加工して取付けるけれど通受梁に対する彫り込み負担を軽くして蟻ホソ加工の取付部分を補強金物にて胴付締付を補助する場合に使用する曲線型羽子板ボルト。
【請求項２】
上記請求項１と同じ目的の梁取付胴付締付に使用する平板Ｌ型曲加工金物梁胴付締付補強金物。
【請求項３】
上記請求項１並びに２の胴付締付金物の使用実行例．
【考案の詳細な説明】
【技術分野】
【０００１】
本考案は木造建築工事工程の中に於いて通角梁に角梁を取付ける際に取付梁の木口に蟻ホソ等の仕口加工をなして受梁に取付けるが受梁に彫り込み深さを軽くして強度低減負担を少なくして補強金物にて取付胴付を強力に締付けて耐震・台風性構造強度確保を目的の補強金物並びに使用例に関する。
【背景技術】
【０００２】
請求項１に関しては木造建築に於いて梁取付補強金物を使用する場合は羽子板ボルトが常用されているが平板部分と軸部分が直線型となっているために片面に取付く際には使用可能であるが同一箇所に両面取付く場合はボルト杆の座金やナットが締付けられないので平板部分の延長直線部からボルト軸を曲げて離す必要が有るので平板部の延長直線部分よりも軸及びボルト杆を３cmから７cm程度を曲げて製造使用する必要がある。請求項２に関しては梁取付金物は種々考案はされているが耐震・台風性に対応するような強力な締付力を発揮するような金物は見受け難い。
【特許文献１】特開  ２０００−２８２５７３
【特許文献２】特開  ２００５−１６３４５４
【考案の開示】
【考案が解決しようとする課題】
【０００３】
従来の梁に梁を結合する補強金物としては羽子板ボルト以外にも見受けられるも締付力が充分では無かったし製造加工並びに現場取付加工にも簡単性が無いように見受けられるので曲線型羽子板ボルト及び平板曲加工Ｌ型角梁胴付締付補強金物を提供し取付例を図示するものである。
【課題を解決するための手段】
【０００４】
本考案は通角梁に結合梁が片面取付の場合は在来の直線型の羽子板ボルトにて問題は無いけれども結合梁が両面の場合や受梁の上端・下端に管柱が取付く場合には受梁に可也の彫り込み負担が掛かり地震や台風の災害時には構造的に
耐久力が疑問視されていたので結合仕口蟻ホソの彫り込み深さを３cmに限定し尚且つ補強金物にて補い梁取付胴付を強力に締付けて耐災害時に備えるために曲線型羽子板ボルトや平板Ｌ型曲加工金物並びに補強金物取付使用時にスプリング式座金の使用例の明記を図示する事等を特徴とする。
【考案の効果】
【０００５】
本考案は通角梁(受梁)に取付角梁(取付梁)を結合する場合に曲線型羽子板ボルト並びに平板Ｌ型曲加工金物により木構造部の結合効果に供され災害時に影響を与えない建物構造確保を目的とする。
【考案を実施するための最良の形態】
【０００６】
本考案の一実施例に付いて図面を参照して説明する。
【実施例１】
【０００７】
図１は  通受梁ＡにＢ・Ｃの取付梁が十の字に取付く際に曲線型羽子板ボルトにて双方の梁の胴付を強力に締付けた状況を上部より見た平面見取り図。
図２は  上記図１を取付梁の側面から見た曲線型羽子板ボルトの取付状況側面図と受梁ＡにＢ・Ｃ梁の蟻ホソとＥ・Ｃ管柱のホソが取付く仕口の断面状況図。
図３は  受梁Ａに取付梁Ｂが片面に取付く場合の直線型羽子板ボルトの側面図並びにＢ梁の蟻ホソ及びＤ・Ｅ管柱のホソ状況断面図。
【実施例２】
【０００８】
図４は  平板Ｌ型曲加工補強金物の展開斜視図。
図５は  上記図４の斜視図。
図６は  上記平板曲金物を90度に加工してＢ梁に取付けた状況を上部から見た平面見取り図。(但しＡ通梁にＢ・Ｃ梁を両面に取付けた場合でも同じ状況となる)
図7は  上記金物をＢ梁に取付けた場合のＡ梁側面状況図及びＢ梁断面図。
図8は  上記の場合のＢ梁側面状況図及びＡ梁断面図。
【図面の簡単な説明】
【０００９】
【図１】考案の曲線型羽子板ボルトの使用状況図。
【図２】図1の側面状況図
【図３】在来の直線型羽子板ボルトの使用状況図。
【図４】考案の平板Ｌ型曲加工金物の展開斜視図。
【図５】上記図4の斜視図。
【図６】上記図5の取付使用状況図。
【図７】上記と同じ取付使用状況図。
【図８】上記と同じ取付使用状況図。
【符号の説明】
【００１０】
Ａ：通受梁                      Ｂ：取付梁
Ｃ：取付梁                      Ｄ：受梁下端に管柱が取付く例
Ｅ：受梁上端に管柱が取付く例                                           
１：曲線型羽子板ボルトの平板金部分           
２：曲線型羽子板ボルトの軸棒部分
３：曲線型羽子板ボルトのボルト杆部分  
４：取付梁の取付仕口の蟻ホソ部分
4b：上記4の下絞り蟻ホソ取り付け状況図        
５：通受梁に管柱が取付く場合のホソ部分
６：曲線型羽子板ボルトを使用する際の取付梁に付けるボルト
７：在来直線型羽子板ボルト            
８：平板Ｌ型曲加工金物の受梁Ａに密着部分
９：上記金物を取付梁Ｂ若しくはＣに密着部分
10：Ａ受梁に取付ける直ボルトの孔                                    
11：Ｂ・Ｃの取付梁に取付ける直ボルトの孔
12：平板金物を90度に曲げて受梁と取付梁に密着させる曲げ点
13：Ｌ型補強金物とナットの間やボルト杆に挟むスプリング式座金
14：受梁に取付ける直ボルトのボルト杆
15：受梁及び取付梁に取付けるボルトの頭部分のナット
16：上記14のボルト杆部分のナット
17：18・19の直ボルトの頭ナット部分
18：平板曲金物をＡ受梁10に通すボルト
19：平板曲金物をＢ・Ｃ梁11に通すボルト
20：直線型羽子板ボルトをＢ梁に通すボルト
21：ボルト杆や頭ナット部分に取付ける平板座金
【図１】
0003134360.tif 000003
【図２】
0003134360.tif 000004
【図３】
0003134360.tif 000005
【図４】
0003134360.tif 000006
【図５】
0003134360.tif 000007
【図６】
0003134360.tif 000008
【図７】
0003134360.tif 000009
【図８】
0003134360.tif 000010
【手続補正書】
【提出日】平成18年11月20日(2006.11.20)
【手続補正１】
【補正対象書類名】実用新案登録請求の範囲
【補正対象項目名】全文
【補正方法】変更
【補正の内容】
【実用新案登録請求の範囲】
【請求項１】
木造建築構造工事の工程の中に於いて角梁に角梁を結合する場合に蟻ホソにて取付け仕口を加工して取付けるけれど通受梁に対する彫り込み負担を軽くして蟻ホソ加工の取付け部分を補強金物にて胴付締付を補助する場合に通受梁に片面取付け梁の場合は在来使用されている板部分と軸棒杆部分が直線の羽子板ボルトで締付可能であるが両面に梁が取付く場合はナットの締付が不可能であるために板部分よりも軸棒杆部分を3cm〜7cm程角度を付けて使用する曲線型羽子板ボルト。
【請求項２】
木造建築構造工事の工程の中に於いて角梁に角梁を結合する場合に蟻ホソにて取付け仕口を加工して取付けるけれど通受梁に対する彫り込み負担を軽くして取付け梁の胴付を締付けるL型の補強金物。
【手続補正２】
【補正対象書類名】明細書
【補正対象項目名】全文
【補正方法】変更
【補正の内容】
【考案の詳細な説明】
【技術分野】
【０００１】
本考案は木造建築工事工程の中に於いて通角梁に角梁を結合する際に取付け梁の木口に蟻ホソ等の仕口加工を施して受梁に取付けるが受梁に彫り込む深さを軽くして特に災害時の強度低減負担を少なくして補強金物にて取付胴付を強力に締付けて耐震・台風性構造強度確保を目的とする補強金物に関するL型金物と曲線型の羽子板ボルト。
【背景技術】
【０００２】
請求項１に関しては木造建築に於いて梁取付け補強金物を使用する場合は羽子板ボルトが常用されているが平板部分と軸棒杆部分が直線型となっているために片面に取付く際には使用可能であるが同一箇所に両面取付く場合はボルト杆の座金やナットが締付けられないので平板部分の延長直線部からボルト軸を曲げて離す必要が有るので平板部の延長直線部分よりも軸及びボルト杆を３cmから７cm程度を曲げて製造使用する必要がある。請求項２に関しては梁取付け金物は種々考案はされているが耐震・台風性に対応するような強力な締付力を発揮するような金物は見受け難い。
【特許文献１】特開  ２０００−２８２５７３
【特許文献２】特開  ２００５−１６３４５４
【考案の開示】
【考案が解決しようとする課題】
【０００３】
従来の梁に梁を結合する補強金物としては羽子板ボルト以外にも見受けられるも締付力が充分では無い上に製造加工並びに現場取付け施工にも簡単性が無いように見受けられるので曲線型羽子板ボルト又は平板曲加工Ｌ型角梁胴付締付補強金物を提供し取付け胴付の締め付け強力化の必要性。
【課題を解決するための手段】
【０００４】
本考案は通角梁に結合梁が片面取付けの場合は在来の直線型の羽子板ボルトにて問題は無いけれども結合梁が両面の場合や受梁の上端・下端に管柱が取付く場合には受梁に可也の彫り込み負担が掛かり地震や台風の災害時には構造的に耐久力が疑問視されていたので結合仕口蟻ホソの彫り込み深さを梁幅厚が12cmの場合は３cmに限定し尚且つ補強金物にて補い梁取付け胴付を強力に締付けて耐災害時に備えるために曲線型羽子板ボルト又は平板Ｌ型曲加工金物並びに地震等の際には数回揺れてもナットが弛まない様に補強金物取付け使用時にはボルトのナット下にスプリング式座金の使用を加えれば尚強力締め付けが発揮出来る。
【考案の効果】
【０００５】
本考案は通角梁に取付け角梁を結合する場合に曲線型羽子板ボルト又は平板を90度Ｌ型曲加工金物により木構造部の結合効果に供され特に災害時に影響を与えない建物構造梁結合部の胴付の強力締付け確保を目的とする。
【考案を実施するための最良の形態】
【０００６】
本考案の一実施例に付いて図面を参照して説明する。
【実施例１】
【０００７】
図１は  通受梁ＡにＢ・Ｃの取付け梁が十の字に取付く際に曲線型羽子板ボルトにて双方の梁の胴付を強力に各両面に締付けた状況を上部より見た平面見取り図。
図２は  上記図１を取付け梁の側面から見た曲線型羽子板ボルトの取付け状況側面図と受梁ＡにＢ・Ｃ梁の蟻ホソとＥ・Ｃ管柱のホソが取付く仕口の断面状況図。
図３は  受梁Ａに取付け梁Ｂが片面に取付く場合の在来直線型羽子板ボルトの側面図並びにＢ梁の蟻ホソ及びＤ・Ｅ管柱ホソの状況断面図。
【実施例２】
【０００８】
図４は  平板Ｌ型曲加工補強金物の下部展開斜視図で符号12は90度に曲げ加工する部分。
図５は  上記図４の上部展開斜視図。
図６は  上記平板曲金物を90度に加工してＢ梁に取付けた状況を上部から見た平面見取り図。但しＡ通梁にＢ・Ｃ梁を両面に取付けた場合でも左右両面同じ状況となる。        
図7は  上記金物を片面取付けＢ梁補強に取付けた際のＡ梁側面状況図及びＢ梁断面図。4ｂはＢ梁を受梁に取付ける際の蟻ホソの胴付元とホソ先の状況図。
図8は  上記の場合のＢ梁側面状況図及びＡ梁断面図。
【図面の簡単な説明】
【０００９】
【図１】考案の曲線型羽子板ボルトの使用状況平面見取図。
【図２】上記図1の側面状況図
【図３】在来の直線型羽子板ボルトの使用状況図。
【図４】考案の平板Ｌ型曲加工金物の下部展開斜視図。
【図５】上記図4の上部斜視図。
【図６】上記図5の片面取付け使用状況平面見取図。
【図７】上記と同じ取付けＡ側面の使用状況図。
【図８】上記と同じ取付けＡ梁断面の使用状況図。
【符号の説明】
【００１０】
Ａ：通受梁                      Ｂ：取付け梁
Ｃ：取付け梁                    Ｄ：受梁下端に管柱が取付く例
Ｅ：受梁上端に管柱が取付く例                                           
１：曲線型羽子板ボルトの平板金部分           
２：曲線型羽子板ボルトの軸棒部分
３：曲線型羽子板ボルトのボルト杆部分  
４：取付け梁の取付仕口の蟻ホソ部分
4b：上記4の下絞り蟻ホソ取り付け状況図        
５：通受梁に管柱が取付く場合のホソ部分
６：曲線型羽子板ボルトを使用する際の取付け梁に付けるボルト
７：在来直線型羽子板ボルト            
８：平板Ｌ型曲加工金物の受梁Ａに密着部分
９：上記金物を取付け梁Ｂ若しくはＣに密着部分
10：Ａ受梁に取付ける直ボルトの孔
11：Ｂ・Ｃの取付け梁に取付ける直ボルトの孔
12：平板金物を90度に曲げて受梁と取付け梁に密着させる曲げ点
13：Ｌ型補強金物とナットの間やボルト杆に挟むスプリング式座金
14：受梁に取付ける直ボルトのボルト杆
15：受梁及び取付け梁に取付けるボルトの頭部分のナット
16：上記14のボルト杆部分のナット
17：18・19の直ボルトの頭ナット部分
18：平板曲金物をＡ受梁10に通すボルト
19：平板曲金物をＢ・Ｃ梁11に通すボルト
20：直線型羽子板ボルトをＢ梁に通すボルト
21：ボルト杆や頭ナット部分に取付ける平板座金
【手続補正書】
【提出日】平成19年3月5日(2007.3.5)
【手続補正１】
【補正対象書類名】実用新案登録請求の範囲
【補正対象項目名】全文
【補正方法】変更
【補正の内容】
【実用新案登録請求の範囲】
【請求項１】
木造建築の場合に主構造である通し直梁の横面にＴ字型三面又は十字型四面に梁を取付ける場合に取付ける梁の木口に蟻ホソを施して取付ける際に其の取付け梁の胴付を図１の変型曲プレートを用いて堅固に締付ける木構造梁結合部補強金物。
【請求項２】
図１の変型曲プレートを用いて取付け梁の胴付を堅固に締付ける際に使用するボルトの頭部のナット及びボルト杆のナットの下部にスプリング式の丸型板金を座金との間に挟み敷く構造を用いる木構造梁結合部補強金物。
【手続補正２】
【補正対象書類名】明細書
【補正対象項目名】全文
【補正方法】変更
【補正の内容】
【考案の詳細な説明】
【技術分野】
【０００１】
本考案は木造建築工事工程の中に於いて通し角梁の横面に角梁を結合する際に取付ける梁の木口に蟻ホソ等の仕口加工を施して受け梁に取付ける際に耐震強度を高める目的として取付梁の胴付をＬ型の変型プレートを用いて堅固に締付ける、其の際其の変型曲補強金物に用いる締め付け用ボルトの頭のナットと座金の間及びボルト杆の座金とナットとの間に丸型のスプリング式の板金を挟み敷いて建物が地震等に遭遇した際などに強度な数回の揺れにも対抗してナットが弛まない目的とする木構造梁結合部補強金物に関するものである。
【背景技術】
【０００２】
従来通し角梁の横面に角梁を取付ける場合は大入式蟻ホソが常用されているが、其の際に取付け梁の木口を深さ15mm程受梁の横面に大入式に彫り込み、更に其の先端に深さ25mm程の蟻ホソを彫り込み、合計の彫り込み深さ40mm程度の深さを彫り込み、締付け補強金物として直線型の羽子板ボルト等を利用しているがＴ型三面取付けの場合は通常羽子板Bにて通用するが、十字型に四面取付けの場合には在来の直線型の羽子板ボルトは使用不可能であり、梁が三面及び四面に組合される場所は上部や下部に管柱が取付く場合が多く、其の際には受け梁の中央には管柱のホソが彫り込まれ両面に取付け梁の蟻ホソが取付く場合には受梁の残肉厚が細くなり地震等に遭遇した際には強度の心配が懸念されていた、取付け梁の蟻ホソを大入れ無しの蟻ホソとして彫り込み深さを30mm程度にて受梁の残肉厚を成るべく残して、更に本考案の変型曲プレートにて取付け梁の胴付を堅固に締付けて耐震強度を高める。
【特許文献１】特開  ２０００−２８２５７３
【特許文献２】特開  ２００５−１６３４５４
【考案の開示】
【考案が解決しようとする課題】
【０００３】
通し受梁の横面に取付ける際の梁の木口の仕口の蟻ホソを大入れ無しの蟻ホソのみとして彫り込み深さを30mm程度として受梁の残肉厚を成るべく厚く残して、更に本考案の補強金物を使用して取付け梁の胴付を堅固に締付けて、受梁の瑕疵の部分を堅固に補い、建物の耐震強度を高める事を目的とする。
【課題を解決するための手段】
【０００４】
上記0003に記載の通し受梁に結合する取付け梁の胴付を締付けるＬ型変型プレートは通し受梁に取付けるボルトはプレートの上部に位置する部位にボルト孔を施し、取付け梁に取付けるボルトはプレートの下部に位置する部位にボルト孔を施して、取付け梁の荷重を受梁が吊り下げる力を利用した構造として胴付を締付けて、利用するボルトの頭ナットと座金との間及びボルト杆のナットと座金との間には丸型のスプリング式の板金を挟み敷いて建物が震度の高い地震等に遭遇した際に数回の揺れに対抗してナットが弛まない構造とし、本考案のＬ型補強プレートの形体は変型に拘る必要は無くて方形の儘にても利用上にては支障は無いものとする、然し締め付けボルトの位置は受梁には上部として取付け梁には下部の部位とする。
【考案の効果】
【０００５】
本考案は木構造建築の軸組み主構造の一部である梁組みの際に其の梁の結合部分を堅固に取付ける目的にて補強金物を利用して地震及び台風等に遭遇した際に建物の結合部の維持性を高めて予期しない災害に耐効するための梁結合部補強金物。
【考案を実施するための最良の形態】
【０００６】
本考案の一実施例に付いて図面を参照して説明する。
【実施例１】
【０００７】
図１は  平板Ｌ型曲加工補強金物を下部から見た展開斜視図で、符号１は受梁に取付く板金部分で、符号４は受梁に取付ける際のボルト孔、符号２は取付け梁に取付く板金部分で、符号５は取付け梁に取付ける際のボルト孔、符号３は変型平板を90度に曲げ加工する部分。
図2は  上記図1の変型曲げ補強金物を上部から見た展開斜視図。
図3は  直通し受梁に十字型に両面に梁が取付く場合に上部から見た平面見取り図で、符号6は通し受梁、符号7は両面取付け梁、符号7ｂは受梁に取付ける梁の木口蟻ホソ、符号8は受梁の上部に管柱が取付いた場合の柱面、符号8ｂは其の管柱が取付く際の柱根ホソ、符号9は梁結合部の受梁に取付けるボルト、符号10は梁結合部の取付梁に取付けるボルト、符号11は締付けボルトの頭ナット及びボルト杆のナットの下に座金との間に挟み敷くスプリング式の丸型板金、符号12はボルトの頭ナット、符号13はボルト杆のナット。
図4は  通し受梁符号6に取付け梁符号7が取付く際の胴付面の木口の断面説明図。
図5は  通し受梁符号6に取付け梁符号7が両面に取付く際の受梁部分の状況断面図。
図6は  通し受梁符号6にＴ字型に片面取付け梁符号７が取付く場合を上部から見た平面見取り図。
【図面の簡単な説明】
【０００８】
【図１】平板Ｌ型曲げ加工補強金物を下部から見た展開斜視図。
【図２】上記図１の変型曲げ補強金物を上部から見た展開斜視図。
【図３】通し受梁に十字型に両面に梁が取付く場合に上部から見た平面見取り図。
【図４】通し受梁符号6に取付け梁符号７が取付く際の胴付面の木口の断面説明図。
【図５】通し受梁符号６に取付け梁符号７が両面に取付く際の受梁部分の状況断面図。
【図６】通し受梁符号６にＴ字型に片面取付け梁符号７が取付く場合を上部から見た平面状況説明図。
【符号の説明】
【０００９】
１：Ｌ型補強プレートが受梁に接する部分
２：Ｌ型補強プレートが取付け梁に接する部分
３：変型平板金を90度に曲げ加工する部位
４：符号１の板金を受梁に取付ける際のボルトの孔で上部に位置する
５：符号２の板金を取付け梁に取付ける際のボルトの孔で下部に位置する
６：通し受梁の例
７：通し受梁に取付ける梁の例
７b：符号７の取付け梁を受梁に取付ける際の木口の蟻ホソ
８：受梁の上部に管柱が取付く場合の柱面
８b：受梁に管柱が取付く場合の柱根ホソ
９：受梁に変型板金の符号１の部分を取付ける際の締め付けボルト
10：取付け梁に変型板金の符号2の部分を取付ける際の締付けボルト
11：変型補強金物を受梁及び取付け梁に取付ける際にボルトの頭ナット及びボルト杆のナットの下部分に座金との間に挟み敷くスプリング式丸型平板金
12：補強金物を受梁及び取付け梁に取付ける際のボルトの頭部ナット
13：補強金物を受梁及び取付け梁に取付ける際のボルト杆のナット
14：平板座金
【手続補正３】
【補正対象書類名】図面
【補正対象項目名】全図
【補正方法】変更
【補正の内容】
【図１】
0003134360.tif 000011
【図２】
0003134360.tif 000012
【図３】
0003134360.tif 000013
【図４】
0003134360.tif 000014
【図５】
0003134360.tif 000015
【図６】
0003134360.tif 000016
【手続補正書】
【提出日】平成19年4月17日(2007.4.17)
【手続補正１】
【補正対象書類名】実用新案登録請求の範囲
【補正対象項目名】全文
【補正方法】変更
【補正の内容】
【実用新案登録請求の範囲】
【請求項１】
木造建築の場合に主構造である通し直梁の横面にＴ字型三面又は十字型四面に梁を取付ける場合に取付ける梁の木口の仕口に蟻ホソを施して取付ける際に其の取付け梁の胴付を堅固に締付けるＬ型補強プレートを用いて、受梁及び取付け梁双方にボルトにて締付け、梁の結合部の取付け締結力補強を特徴とする木構造梁結合部補強金物。
【請求項２】
請求項１に記載したＬ型補強プレートを用いて取付け梁の胴付を堅固に締付る際に受梁及び取付け梁に使用するボルトの頭部のナット及びボルト杆のナットの下部にスプリング式の丸型板金を挟み敷き、長期的に使用した際に結合部木材が木痩せ等にて起きるナットの緩みを防止し、其れに加え建物が地震等に遭遇した際の数回の揺れに、締付けたボルトの締付力を堅固に維持するスプリング式板金にて締付ける構造組合せを特徴とする木構造梁結合部補強金物。                                                              
【手続補正２】
【補正対象書類名】明細書
【補正対象項目名】全文
【補正方法】変更
【補正の内容】
【考案の詳細な説明】
【技術分野】
【０００１】
本考案は木造建築工程の中に於いて通し角梁(受梁)の横面に取付け角梁を結合する際に取付ける梁の木口に蟻ホソ等の仕口加工を施して受梁に取付ける際に耐震強度を高める目的として取付け梁の胴付をＬ型補強プレートを用いて堅固に締付け、其の際L型補強プレートを締付けるボルトの頭部ナットと座金の間及びボルト杆のナットと座金の間に丸型スプリング式の板金を挟み敷き、建物を長期使用により使用部材が木痩せした場合、又は地震等に遭遇した際に強度な数回の揺れにも対抗してナットが弛まない目的とする木構造梁結合部補強金物に関するものである。
【背景技術】
【０００２】
従来通し角梁の横面に角梁を取付ける場合は大入れ式蟻ホソが常用されているが、其の際に取付け梁の木口を深さ15mm受梁の横面に大入れ式に彫り込み、更に其の先端に深さ23mm程の蟻ホソを彫り込み、合計の彫り込み深さ38mm程度の深さを彫り込み、締付補強金物として直線型の羽子板ボルト等を使用しているが、Ｔ型三面取付けの場合は板面部と軸棒部が直線型の羽子板ボルトにて通用するが、十字型に四面取付の場合には在来使用の板面部と軸棒部が直線型の羽子板ボルトは軸棒のボルト杆のナット締付不可能であり、梁が三面及び四面に組合される場所は上部や下部に管柱が取付く場合が多く、其の際には受梁の中央部には管柱のホソが彫り込まれ、其れに加え両面に取付け梁の蟻ホソが取付く場合には受梁の残肉厚が薄くなり地震等に遭遇した際には強度の弱体が懸念されていた、すなわち従来の受梁の横面に梁を取付ける際の仕口は受梁に取付け梁全面を深さ15mmを彫り込んで取付け梁の加重を持たせて其の先端に蟻ホソを付けて梁木口を抜けない取付け仕口が常用されている、それ故結合部の受梁の残肉部分が薄くなるのを改良し、災害時に結合部の強度維持性を高める。
【特許文献１】特開  ２０００−２８２５７３号公報
【特許文献２】特開  ２００５−１６３４５４号公報
【考案の開示】
【考案が解決しようとする課題】
【０００３】
其のために通し受梁の横面に取付ける際の梁の木口の仕口の蟻ホソを大入れ無し蟻ホソのみとし、其の蟻ホソの彫り込み深さを28mm程度として受梁の残肉厚を成るべく厚く残し、すなわち従来の大入れ式蟻ホソは15mm大入れに蟻ホソ23mmを彫り込めば深さ38mmとなり、両面に梁が取付く際に其の蟻ホソを取付けた際には柱ホソ厚30を加えると38+38+30=106となり厚巾12cm受梁の場合には残肉14mmとなり、大入れ無し蟻ホソの場合には28＋28＋30=86となり残肉34mmとなり梁結合部に強度性を保つ事が出来る事に成り、更に本考案のL型補強プレートを使用して取付け梁の胴付を堅固に締付け、受梁の瑕疵の部分を幾らかでも強度堅固的に補うために、梁結合部に本考案のL型補強プレートを取付け梁の両面に用いて受梁と取付け梁を堅固に締結し建物の耐震強度を高める構造を目的とする課題があった。
【課題を解決するための手段】
【０００４】
受梁に取付け梁を堅固に結合部締結補強金物であるＬ型補強プレートに用いる通し受梁の横面に取付ける際の締付ボルトはプレートの上部に位置する部位にボルト孔を施し、取付け梁の木口部横面に取付けるボルトはプレートの下部に位置する部位にボルト孔を施し、L型補強プレートに取付けるボルトの位置の差により取付け梁の荷重を受梁が吊り下げる力を利用した構造として胴付を締付け、利用するボルトの頭部ナットと座金との間及びボルト杆のナットと座金との間には丸型のスプリング式の板金を挟み敷き、取付部に利用の木材が長期間使用して木痩せ現象に伴い締めたナット部が緩むのを防ぐ目的に加え、建物が震度の高い地震等に遭遇した際に数回の揺れに対抗してナットが弛まない構造とし、本考案のＬ型補強プレートの形体は変型に拘る必要は無く方形の儘にても利用上にては支障は無いものとする、然し締め付けボルトの位置は受梁に取付くボルト位置は上部位とし取付け梁に取付くボルト位置は下部位とし、取付け梁の胴付締付け補強に伴い吊り下げ力効果に供する。
【考案の効果】
【０００５】
本考案は木構造建築の軸組み主構造の一部である梁組の際に其の梁の結合部分を堅固に締付ける目的にL型補強プレートを利用して地震及び台風等に遭遇した際に建物の結合部の堅固維持性を高めて予期しない災害に耐効と成す事ができる。
【考案を実施するための最良の形態】
【０００６】
本考案の一実施例に付いて図面及び符号を参照して説明する。
【実施例１】
【０００７】
図１は方型でなく変型の場合のＬ型補強プレートを下部から見た展開斜視図で、受梁側面部に取付くプレート部分1、受梁に締付ける際のボルト孔4、取付け梁の先端側面部に取付くプレート部分２、取付け梁に締付ける際のボルト孔５、L型補強プレートを90度に曲げ加工する部分3。
図2は上記図1のL型曲補強プレートを上部から見た展開斜視図。
図３は直通し受梁に十字型に両面に梁が取付く場合に上部から見た平面見取り図で、通し受梁6、両面取付け梁7、受梁に取付ける梁の木口蟻ホソ7b、受梁の上部に管柱が取付いた場合の柱面部8、其の管柱が取付く際の柱根ホソ8b、梁結合部の受梁に取付るボルト9、梁結合部の取付け梁に締付るボルト10、締付けボルトの頭部ナット及びボルト杆のナットの下部に座金との間に挟み敷くスプリング式丸型板金11、ボルトの頭部ナット12、ボルト杆のナット13。
図4は通し受梁6に取付け梁7が取付く際の胴付面の木口の断面説明図。
図5は通し受梁6に取付け梁7が両面に結合する際の受梁部分の状況断面図。
図6は通し受梁6にＴ字型に片面取付け梁７が取付く場合を上部から見た平面見取り図。
図７は受梁６の両面に取付け梁7が大入れ無し蟻ホソのみにて取付く状況を上部から見た平面見取り図で、梁結合部の取付け梁蟻ホソ7b先端と管柱ホソ部8bとの間に残る受梁6の残肉部分6b。
図8は上記図7の蟻ホソ部分の側面部の説明斜視図で、取付け梁7が取付く際の胴付面部7c。
図9は受梁6の両面に取付け梁7が取付く際の従来の大入れ式の蟻ホソのみにて取付く状況を上部から見た平面見取り図で、大入れ部分7d、蟻ホソ7e、大入れ式蟻ホソ7eと柱ホソ8bとの間に残る受梁6の残肉部分6c。
図10は上記図9の大入れ式蟻ホソ部分の説明斜視図。
【図面の簡単な説明】
【０００８】
【図１】変型的なＬ型補強プレートを下部から見た展開斜視図。
【図２】上記図１のL型補強プレートを上部から見た展開斜視図。
【図３】通し受梁に十字型に両面に梁が取付く際の状況を上部から見た平面見取り図。
【図４】通し受梁符号6に取付け梁符号７が取付く際の胴付面の木口の断面説明図。
【図５】通し受梁符号６に取付け梁符号７が両面に取付く際の受梁部分の状況断面図。
【図６】通し受梁符号６にＴ字型に片面取付け梁符号７が取付く場合を上部から見た平面状況説明図。
【図７】通し受梁符号6に取付け梁符号7が大入れ無し蟻ホソのみにて取付く際の状況を上部から見た平面見取り図。
【図８】図７の大入れ無し蟻ホソ仕口の説明斜視図。
【図９】通し受梁符号６に取付け梁符号７が大入れ付き蟻ホソのみにて取付く際の状況を上部から見た平面見取り図。
【図１０】図９の大入れ付き蟻ホソ仕口の説明斜視図。
【符号の説明】
【０００９】
１：Ｌ型補強プレートが受梁に接する部分
２：Ｌ型補強プレートが取付け梁に接する部分
３：L型補強プレートを90度に曲げ加工する部位
４：符号１のプレートを受梁に取付ける際のボルトの孔でプレートの上部分に位置する
５：符号２のプレートを取付け梁に取付ける際のボルトの孔でプレートの下部分に位置する
６：通し受梁の例
６b：大入れ無し蟻ホソと柱ホソとの間の通し梁６の残肉部分
６c：大入れ付き蟻ホソと柱ホソとの間の通し梁６の残肉部分
７：通し受梁に取付ける梁の例
７b：符号７の取付け梁を受梁に取付ける際の木口の蟻ホソ部分
７c：受梁６に取付け梁7が取付く際の胴付側面
７d：受梁6に大入れ式にて取付け梁７が取付く際の大入れ部分
７e：受梁６に大入れ式にて取付け梁７が取付く際の蟻ホソ
８：受梁の上部に管柱が取付く際の柱面部位
８b：受梁に管柱が取付く際の柱根ホソ部位
９：受梁にプレート符号１の部分を取付ける際の締付けボルト
10：取付け梁にプレート符号2の部分を取付ける際の締付けボルト
11：L型補強プレートを受梁及び取付け梁に取付ける際にボルトの頭部ナット及びボルト杆のナットの下部に座金との間に挟み敷くスプリング式丸型平板金
12：L型補強プレートを受梁及び取付け梁に取付ける際のボルトの頭部ナット
13：L型補強プレートを受梁及び取付け梁に取付ける際のボルト杆のナット
14：平板座金
【手続補正３】
【補正対象書類名】図面
【補正対象項目名】全図
【補正方法】変更
【補正の内容】
【図１】
0003134360.tif 000017
【図２】
0003134360.tif 000018
【図３】
0003134360.tif 000019
【図４】
0003134360.tif 000020
【図５】
0003134360.tif 000021
【図６】
0003134360.tif 000022
【図７】
0003134360.tif 000023
【図８】
0003134360.tif 000024
【図９】
0003134360.tif 000025
【図１０】
0003134360.tif 000026